(57)【要約】【課題】送風機能に悪影響を与えることなく、安全性を確保しつつ、イオンを放散することが可能なように構成された送風機を提供する。【解決手段】モータと、モータにより回転駆動されるファンと、を備える送風機において、送風機を持ち運ぶ取っ手を構成する部材に一体に形成した収納部にイオン発生器が取付けてあるから、送風の邪魔にならず、送風機能に悪影響を与えることなく、乳幼児等が触れることを防止することができ、安全性を確保することができるとともに外観上も美しくすることが出来る。【選択図】  図１
2012255389.tif 000002
【特許請求の範囲】
【請求項１】
モータと、該モータの出力軸に連結され、前記モータにより回転駆動されるファンと、空気中で放電してイオンを発生させるイオン発生器を備える送風機において、
前記イオン発生器は、前記送風機を持ち運ぶ際に使用する取っ手を構成する部材と一体に形成した収納部に収納してあることを特徴とするイオン発生機能付き送風機。
【請求項２】
モータと、該モータの出力軸に連結され、前記モータにより回転駆動されるファンと、空気中で放電してイオンを発生させるイオン発生器を備える送風機において、
前記イオン発生器は、前記モータを収納する構成する部材と一体に形成した収納部に収納してあることを特徴とするイオン発生機能付き送風機。
【請求項３】
前記イオン発生器の収納部は、前記イオン発生器の放電電極から所定の距離を確保した空間であることを特徴とする請求項１または２に記載のイオン発生機能付き送風機。
【請求項４】
前記ファンはプロペラファンであり、
前記イオン発生器の前記放電電極を前記プロペラファンの翼半径の１／２の位置に設置することを特徴とする請求項１から３のいずれかに記載のイオン発生機能付き送風機。
【請求項５】
前記イオン発生器の収納部は、前記ファンよりも風上にあることを特徴とする請求項１から４のいずれかに記載のイオン発生機能付き送風機。
【発明の詳細な説明】
【技術分野】
【０００１】
本発明は、イオンを放散することが可能なように構成された送風機に関する。
【背景技術】
【０００２】
従来、扇風機等の送風機において、所望の流量及び方向の風を送り出す送風機能に加えて、その他の種々の機能が付加された送風機が提案されている。
【０００３】
特許文献１に開示された送風機器は、マイナスイオンを発生させるマイナスイオン発生ユニットを、送風機器本体に単純に添装する構成を開示している。例えば、送風機器である持ち運びが容易な扇風機の送風羽根近傍の前方又は後方にマイナスイオン発生ユニットを設けることにより、手軽に涼風感を得ることができると共に、マイナスイオンによりリフレッシュ等の有益な生理学的効果を同時に得ることが可能となる。
【先行技術文献】
【特許文献】
【０００４】
【特許文献１】特開平９−２４５９３５号公報
【発明の概要】
【発明が解決しようとする課題】
【０００５】
特許文献１に係る送風機器においては、マイナスイオンによりリフレッシュ等の有益な生理学的効果を得ることは可能である。しかしながら、マイナスイオン発生ユニットは放電電極に負の高電圧を印加して放電を生ぜしめて、マイナスイオンを発生させるものであるから、扇風機の外側に添装した場合、乳幼児等が触れてしまう虞があり、安全性に問題があった。
【０００６】
本発明は、斯かる事情に鑑みてなされたものであり、送風機能に悪影響を与えることなく、安全性を確保しつつ、イオンを放散することが可能なように構成された送風機を提供することを目的とする。
【課題を解決するための手段】
【０００７】
本発明に係るイオン発生機能付き送風機は、モータと、該モータの出力軸に連結され、前記モータにより回転駆動されるファンと、イオンを発生するイオン発生器とを備えるイオン発生機能付き送風機において、送風機を持ち運びする際に取っ手となる部分に該イオン発生器を安全距離を確保して格納したことを特徴とする。この送風機においては、上記ファンの周囲を包囲し、保護の目的でファンガードを設けることがある。
【０００８】
本発明にかかる送風機は、モータを包囲して保護する樹脂製のキャビネットに外観上一体とした取っ手を設け、取っ手を構成するために隆起させたキャビネット内部に上記イオン発生器を収納する。
【０００９】
以上の構成により、高電圧が印加されるイオン発生器を取っ手を構成するために隆起させたキャビネットの内側に設けてあるから、使用者等が触れることを防止することができ、安全性を確保することができる。
【００１０】
上述した構成の送風機は、イオン発生器を収納する取っ手を構成するために隆起させたキャビネットには空気を流通するための開口を設けるとともに、安全距離を確保してイオン発生器を設ける。これにより、送風機能に悪影響をほとんど与えず、同時に高電圧部分に使用者等が触れることを防止することができ、安全性を確保することができる。
【００１１】
また、イオン発生器の放電電極の位置をファンの半径方向の距離の半分（略中間部）としている。この構成により、らせん気流を送出するプロペラファンを使用していても送風機前方と送風機周囲方向にイオンがバランスよく送出される。
【００１２】
さらに、イオン発生器によりプラスイオン及びマイナスイオンを発生させた場合には、空気中に浮遊する細菌を殺菌し、インフルエンザウイルス等のウイルスを死滅又は不活性化することができる。
【発明の効果】
【００１３】
本発明の送風機によれば、安全性を確保した状態で、イオンを効率よく放出できる。
【００１４】
また、本発明の送風機によれば、送風機能に悪影響をほとんど与えることなく、イオンを放散させることができる。
【図面の簡単な説明】
【００１５】
【図１】実施の形態１に係る扇風機の模式的外観図である。
【図２】実施の形態１に係る扇風機の模式的部分分解図である。
【図３】実施の形態１に係る扇風機の模式的部分断面図である。
【図４】イオン発生器の模式的外観斜視図である。
【図５】イオン発生器本体の回路の例である。
【図６】実施の形態１に係る扇風機の制御ブロック図である。
【発明を実施するための形態】
【００１６】
以下、本発明をその実施の形態を示す図面に基づいて、送風機として扇風機を例に詳述する。
（実施の形態１）
図１は、実施の形態１に係る扇風機１０の模式的外観図である。図２は、実施の形態１に係る扇風機１０の模式的分解図である。図において１は、基台であり、該基台１は、床面等に載置され、上面に使用者が任意の状態で動作させるための各種操作キー等を供える操作パネル（図示せず）が設けてある。この基台１には、支柱２が立設してある。支柱２の上端部には、モータ等を備える駆動部３が取付けてある。駆動部３は、概観が略円柱形をなすモータ３１本体と、該モータ３１本体の一側から突出する出力軸３２とを備えている。出力軸３２の先端部には、図２に示すように雄螺子部３３が設けてある。さらに、出力軸３２には、先端部から適長離隔した位置に、軸長方向に直交するように後述するファン４を係止するためのファンボス止ピン３４が取り付けられている。
【００１７】
またモータ３１の出力軸３２には、該出力軸３２の回転に伴って一体的に回転するファン４が、上記ファンボス止ピン３２にて係止され取付けられる。出力軸３２に取付けられるファン４は、モータ３１の出力軸３２に外嵌される円筒状のボス部４２と、該ボス部４２に周方向に等配をなして設けられた複数の羽根４１とを備えるプロペラファンである。
【００１８】
上記ファン４は、モータ３の出力軸３２にボス部４２を外嵌した状態にて、円筒状をなす固定部材としてのファンナット５が、雄螺子部３３に螺合し、出力軸３２に固定される。なお、ボス部４２は、ファンボス止ピン３４により、出力軸３２に対して相対回転しないように回り止めがなされる。つまり、ファンボス止ピン３４が嵌り込む凹部が、ボス部４２に形成されている。また、ファンボス止ピン３４にて、ファン４自体が、出力軸３２の軸長方向にモータ３１側に移動しないようにしてある。
【００１９】
このように取付けられたファン４には、該ファン４を包囲して保護するファンガード７が設けてある。ファンガード７は、ファン４を前側から覆うファンガード前部体７１と、ファン４を後側から覆い、前記ファンガード前分体７１と嵌合するファンガード後部体７２とを備えてなる。
【００２０】
上記ファンガード７は、樹脂製の後キャビネット（以下後キャビと記す）３０と嵌合してモータ３１本体を収納する樹脂製の前キャビネット（以下前キャビと記す）６に形成された雄螺子部６６と螺合する固定リング８により、ファンガイド後部体７２が固定リング８と前キャビ６とで挟持された状態で、固定される。
【００２１】
上記前キャビ６は、後キャビ３０と嵌合してモータ本体３１を収納するだけでなく、上方に延伸されて後で説明する取っ手６０を構成する。前キャビ６には、例えば上記モータ３１本体がネジ止めされ、さらにモータ３１の後部に対し、後キャビ３０が取り外し可能に嵌合される。嵌合された後キャビ３０は、前キャビ６にネジ止めされている。したがって、ネジを外すことで前キャビに嵌合される後キャビ３０が外され、モータ３１本体部分が露出する。
【００２２】
樹脂製の後キャビ３０は、上方に伸びる隆起した壁体３０ａによってイオン発生器９を収納するイオン発生室３９（図３に示す）を形成している。このイオン発生室３９には、ファン４によって空気をイオン発生室内に流通させるために、吸込口３９ａと吹出口３９ｂが設けられている。吸込口３９ａは横長の複数の開口を有する格子状の開口部であって、吹出口３９ｂはハニカム状の開口を有する開口部である。なお、吸込口３９ａまた吹出口３９ｂの開口部は、説明したものに限らず、周知の構造のものを適用できる。
【００２３】
さらに、後キャビ３０には吸込口３９ａ、吹出口３９ｂから異物が入り込んでもモータ本体３１に直接達することがないように、イオン発生室３９とモータ３１を仕切る（区画する）ように仕切り部３０ｂが、例えば一体的に形成されている。
【００２４】
上記後キャビ３０は、イオン発生室３９を構成する壁体３０ａの上部をさらに上方へ延伸している。また、前キャビ６は、後キャビ３０同様に上部を延伸させ、例えば壁体３０ａの上部（頂部）と延伸させた部位との間に空間を形成し、取っ手６０として構成している。この取っ手６０は前キャビ６を上部として、下部に後キャビ３０が嵌合される状態で形成され、２層構成となっている。
【００２５】
図３に示すように取っ手６０を構成する後キャビ３０の延伸部分は、上述したようにイオン発生器９を収容するイオン発生室３９が設けられている。イオン発生器９は、イオン発生する面をモータ３１側に向くように、イオン発生器９の反対面側が延伸部の壁体３０ａの頂部の内面（下面）に固定されている。
【００２６】
次に図４を参照し、上述したイオン発生器９の構成を説明する。図４はイオン発生器９の模式的外観斜視図である。イオン発生器９は、発生したイオンを放出する複数の放出孔が設けてある。図４に示すイオン発生器９は、所謂針電極型の電極構造を有するイオン発生器９の例を示している。
【００２７】
このイオン発生器９は、図５の回路図に示すように、１００Ｖの商用交流電圧が供給される端子１及び端子２間の印加電圧を、昇圧する昇圧回路９０ａと、昇圧回路９０ａが昇圧した電圧を印加されてイオンを発生させるイオン発生素子９０ｂとを備えている。イオン発生素子９０ｂは、図４に示すように、針電極である放電電極９１ａ，９２ａと、板電極である誘導電極９１ｂ，９２ｂとを備えており、誘導電極９１ｂ，９２ｂに設けた貫通孔の内側に該貫通孔と同心をなして放電電極９１ａ，９２ａが設けてある。このイオン発生器９は、昇圧回路９０ａにおいて昇圧された高電圧を、放電電極９１ａ，９２ａと誘導電極９１ｂ，９２ｂとの間に印加することにより、放電を生ぜしめるように構成してある。
【００２８】
イオン発生素子９０ｂは、空気中の水分を放電によりイオン化することにより、プラスイオンとしてのＨ＋（Ｈ２Ｏ）ｍ（ｍは任意の自然数）と、マイナスイオンとしてのＯ２−（Ｈ２Ｏ）ｎ（ｎは任意の自然数）とを発生する。両方のイオンが空気中に送出される場合には、これらのイオンが空気中の浮遊細菌やウイルスの表面に取り付く。そして、これらが化学反応することにより、活性種である過酸化水素（Ｈ２Ｏ２）及び／又は水酸基ラジカル（・ＯＨ）が生成され、空気中の浮遊細菌や浮遊ウイルス等を殺菌または不活化することができる。
【００２９】
イオン発生器９は、イオン発生室３９内に前キャビ６から内側に突設する取付部にイオン放出孔を下方に向けて取り付けられている。前述のように、イオン発生器９の放電電極９１ａ，９２ａには高圧電気が印加されるので、取扱いの安全上外殻をなす部分との間に所定の距離を取ることが要求される。具体的には、後キャビ３０の壁体３０ａが上方に行くほどファン４側に傾斜して延伸しているため、吸込口３９ａの開口最上部と吹出口３９ｂの開口最上部が放電電極９１ａ，９２ａに最も近い位置にある。本発明の形態によれば、高圧機器に要求される安全距離を考慮してこの距離を３０ｍｍ以上としている。この距離は安全のためには大きいほどよいが、不要に大きいと前キャビ６及び後ろキャビ３０が肥大し、ひいては送風装置そのものが肥大化して扱いにくいものとなるため工業会の安全基準等を基準としてあまり大きくならないように決定されるのがよい。
【００３０】
吸込口３９ａ，吹出口３９ｂ以外の部分は樹脂製の壁体３０ａと前キャビ６が覆っているために安全上の問題はない。また、イオン発生器９の下方にはモータ３１本体が存在し、モータ３１を構成する金属部分にイオン発生器９が発生させたイオンが吸収される虞れがある。そのため、イオン発生室３９の下部には、モータ３１本体を収容する部分と区分するためにも仕切り部３０ｂを形成して対応した。
【００３１】
図６に本実施例の制御ブロックを示す。基台１に設置される制御装置には機器への電源の入切りを行う運転スイッチ、イオン発生器の運転要否を選択する運転モード切替スイッチ、タイマー運転を選択するタイマースイッチ、風量を選択する風量スイッチ、が接続されており、それぞれの操作の結果を表示する表示手段、使用者に操作結果を報知する報知手段が設けられる。
【００３２】
以上のように構成された扇風機１０において、運転スイッチ（図示せず）をオンにすると、モータ３１に電力が供給されてモータ３１が回転し、モータ３１の出力軸３２が一体的に回転する。この出力軸３２の回転に伴って、出力軸３２にファンナット５によりボス部４１に固定されたファン４が一体的に回転する。このファン４の回転に伴いファンガード後部体７２からファンガード前部体７１に向けて流れる送風流路が生じる。
【００３３】
また、運転モード切替スイッチ（図示せず）でイオン運転を選択すると、イオン発生器９にも電力が供給され、プラスイオン及びマイナスイオンが発生する。発生したプラスイオン及びマイナスイオンは、イオン発生器９の放出孔から外部へ放出され、ファン４の回転により生じた送風によってファンガード前部体７１を通過して室内に放散される。
【００３４】
本実施例は扇風機であって、扇風機の羽根には所謂プロペラファンが採用されている。プロペラファンは、構成する翼の数に対応してファンの回転軸を中心とするらせん気流を発生させ、らせん気流は回転しながら下流方向に進行するに伴って軸の外側に向かって拡散しながら送出されるという性質を有する。
【００３５】
このため、イオン発生室３９の吸込口３９ａから吸い込まれた気流が、イオン発生器９のイオン放出孔を包み込むように流れるとともに、後キャビ３０の仕切り部３０ｂとほぼ平行に流通する。そして、イオン発生器９の発生するイオンを含んだ状態で吹出口３９ｂから流出し、ファン４に引き込まれたのち、図３に示すようにファン４の回転軸に近い部分の気流Ａは、ほぼ直進して前方に達するのに対して、回転軸から遠い部分の気流Ｂは直進せずに室内に拡散する。
【００３６】
扇風機の前方側より操作を行う使用者は、当然扇風機前方に居る。そのため、使用者に直接届けるべきイオンと室内に広く拡散させて室内環境を改善するイオンの量を好ましいバランスで調整するために、本発明の一実施例では、イオン発生器９の放電電極９１ａ，９２ａの位置（イオン発生器９からイオンが発生する位置）が、ファン４の羽根４１の半径長さの半分（中間部）となるようにした。なお、上記イオン発生器９の放電電極９１ａ，９２ａの位置を、半分（１／２）として説明したが、これに近い位置であればよく、その前後に多少ずれても同様の効果を奏する。そのずれの範囲は、５％程度であれば十分な効果を期待できる。
【００３７】
このように構成された実施の形態１に係る扇風機１０においては、プラスイオン及びマイナスイオンにより空気中に浮遊するインフルエンザウイルス等のウイルス、病原菌を死滅又は不活性化させることによって、ウイルス及び病原菌から人体を守ることができる。
【００３８】
なお、本実施例ではイオン発生器を正イオンおよび負イオンを発生するものとしたが、空気中の浮遊菌の殺菌等を意図しない場合には、負イオン発生器であっても構わない。この場合には、従来から気分を爽快にする効果が得られるとされている。
【００３９】
以上説明したように、本発明のイオン発生機能を備える扇風機１０は、モータ３１を備える駆動部３を収容するための後キャビ３０の上部を上方へと隆起（延伸）させように形成しており、その隆起させた部分にイオン発生器９を内装させるイオン発生室３９を設けている。
【００４０】
また、本発明においては、取っ手６０を形成するための後キャビ３０にイオン発生器９を内装するためのイオン発生室３９を設けるようにしている。
【００４１】
以上のようにすることで、形成されたイオン発生室３９にイオン発生器９を配置できる。そのため、イオン発生器９がイオン発生室３９に設けられるため、使用者が触れること極力避けることができ、安全性を合わせて確保できる。また、モータ３１を収容するキャビネット（６，３０）を上方へと隆起させるとともに延伸させ、さらにその隆起部を利用して取っ手６０を設けることで、イオン発生室３９を形成できると同時に、持ち運び用の取っ手を合わせて形成できる。そのまた、扇風機１０本体が確保する領域内を有効活用でき、扇風機１０本体が大型化することもなく、外観の美しさを保つことが出来る。
【００４２】
さらに、キャビネットを隆起させることでイオン発生器９の発生位置を、モータ３１を介して回転されるファン４の羽根４１の半径方向のほぼ中心部分に容易に配置できる。つまり、発生位置を、中心部分に配置するための特別の部材等を設けることなく、キャビネットを隆起の程度を適宜設定することで、イオン発生位置を目的の位置に簡単に調整できる。
【００４３】
さらに、モータ３１を収容するキャビネットを隆起させてイオン発生室３９を形成するため、ファンの風上にイオン発生器９を配置できる。このとき、イオン発生室３９に吸込口３９ａ、吹出口３９ｂを形成すれば、風上で発生したイオンを効率よくファン４を介して前方へと放散させることができ、放散させるための特別な構成を必要としなくなる。
【産業上の利用可能性】
【００４４】
以上のべたように、簡素な構成により、高電圧を印加するイオン発生器収納部を扇風機に備えることができ、送風機が元から有している外殻部に一体に形成したので、使用者が安全に取り扱えるとともに、イオン発生部が大型化することを抑制して外観上も美しくすることができる。
【００４５】
本発明によれば、扇風機を例にイオン発生機能を備える送風機を説明したが、その他室内の空気を循環させる等のサーキュレータ、また換気扇等にも適用できる。換気扇としては、室外の空気を室内に取り入れる際に、イオン発生器を動作させ室内に放散させることができる。
【００４６】
また、室内の床（畳）上に載置する扇風機だけでなく、壁（柱）掛け扇風機、天井扇にも同様に適用できる。
【符号の説明】
【００４７】
３    駆動部
３０    後キャビ（キャビネット）
３０ａ  隆起（延伸）させる壁体
３０ｂ  仕切り用の壁体
３１    モータ（モータ本体）
３２    出力軸
３６    雄螺子部（係合部）
３９    イオン発生室
３９ａ  吸込口
３９ｂ  吹出口
４    ファン
４１    羽根  
４２    ボス部
６    前キャビ（キャビネット）
６０    取っ手
９    イオン発生器
９１ａ，９２ａ  イオン放電電極（イオン発生位置）
【図１】
2012255389.tif 000003
【図２】
2012255389.tif 000004
【図３】
2012255389.tif 000005
【図４】
2012255389.tif 000006
【図５】
2012255389.tif 000007
【図６】
2012255389.tif 000008
【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
モータと、該モータの出力軸に連結されて前記モータにより回転駆動されるファンと、空気中で放電してイオンを発生するイオン発生器とを備える送風機において、
前記モータを収納する第１筐体と、前記イオン発生器を収納する第２筐体と、送風機本体の運搬時に把持する取っ手部とを備え、
第２筐体は第１筐体及び前記取っ手部と一体に形成されることを特徴とする送風機。
【請求項２】
前記ファンの回転駆動により空気を吸い込む吸込口と空気を吹き出す吹出口とを第２筐体に設け、前記イオン発生器の放電電極を前記吸込口から所定距離離して配置したことを特徴とする請求項１に記載の送風機。
【請求項３】
前記ファンはプロペラファンから成り、前記プロペラファンの半径方向中央部の近傍に相対するように前記イオン発生器の放電電極を設置したことを特徴とする請求項１または請求項２に記載の送風機。
【請求項４】
第２筐体は前記ファンの吸気側に配されることを特徴とする請求項１〜３のいずれかに記載の送風機。
【請求項５】
前記取っ手部は、第１筐体の一部を構成する部材を上方に延ばした部分と第１筐体の他部を構成する部材を上方に延ばした部分とを嵌合して形成されることを特徴とする請求項１〜請求項４のいずれかに記載の送風機。
【手続補正３】
【補正対象書類名】明細書
【補正対象項目名】００１７
【補正方法】変更
【補正の内容】
【００１７】
またモータ３１の出力軸３２には、該出力軸３２の回転に伴って一体的に回転するファン４が、上記ファンボス止ピン３４にて係止され取付けられる。出力軸３２に取付けられるファン４は、モータ３１の出力軸３２に外嵌される円筒状のボス部４２と、該ボス部４２に周方向に等配をなして設けられた複数の羽根４１とを備えるプロペラファンである。